(57)【要約】【課題】ヒューズなどの部品を電子回路に配置する際には、基板にそのヒューズの定格を特定するための表示をしなければならないことが定められている。そこで、配置されるべき部品が正しく配置されることにより、その部品の定格のみが表示される電子回路中間構体システムを提供することを課題とする。【解決手段】一の割符を記した電子回路基板と、前記一の割符と符合すべき他の割符を記した部品とからなり、前記一の割符と、前記他の割符とは、電子回路基板に対して部品を正しく配置した場合に符合して意味をなすように記されている電子回路中間構体システムを提供する。【選択図】図１
2011233653.tif 000002
【特許請求の範囲】
【請求項１】
一の割符を記した電子回路基板と、
前記一の割符と符合すべき他の割符を記した部品と、からなり、
前記一の割符と、前記他の割符とは、電子回路基板に対して部品を正しく配置した場合に符合して意味をなすように記されている電子回路中間構体システム。
【請求項２】
前記他の割符を記した部品は、一の割符を記した電子回路基板の一部を分離してなる割基板である請求項１に記載の電子回路中間構体システム。
【請求項３】
前記電子回路基板は、配置される割基板にマウントされるチップなどの種類に応じて正しい電子回路を構成するための複数の配置領域を有するとともに、配置領域ごとに異なる一の割符が記されており、
前記割基板は複数種類のチップなどをマウント可能で、マウントされたチップなどの種類に応じて、電子回路基板中の正しい配置領域にて符合すべき異なる他の割符が記されている請求項２に記載の電子回路中間構体システム。
【請求項４】
前記電子回路基板の配置領域は、大きさの異なる割基板挿入穴を有し、
前記割基板は、階段状の前記挿入穴に対する差し込み足を有し、差し込み足の差し込み深さに応じて電子回路基板に記された一の割符と、割基板に付された他の割符とが符合して電子回路に応じた正しい意味をなすように構成されている請求項３に記載の電子回路中間構体システム。
【発明の詳細な説明】
【技術分野】
【０００１】
本発明は、電子回路基板に部品を配置した際に、当該部品の定格等の表示が適切に為される電子回路中間構体に関する。
【背景技術】
【０００２】
生産効率の向上や資材コストの低減などの要請から、電子回路基板の共用化が図られている。例えば、電源回路においては、ヒューズを配置するための過電流保護回路を基板に複数設けておき、仕向け地や用途に適合するヒューズを配置することで、仕向け地や用途に応じた電源回路が作られている。
【０００３】
ところで、ヒューズなどの部品を電子回路に配置する際には、基板にそのヒューズの定格を特定するための表示をしなければならないことが定められている。そのため、電子回路基板を共用化する場合には、定格を示す貼り付けラベルなどを配置される部品の定格ごとに用意したり、あるいは、配置される得る部品のそれぞれの定格をあらかじめ基板にすべて記しておき、実際に配置される部品の定格以外を消去等して配置された部品の定格のみが表示されるようにしなければならない。
【０００４】
そこで、特許文献１には、二つ以上のヒューズブロックを配置するための穴（パターンホール）を、位置をずらして複数設けるとともに、それぞれの穴の近傍にヒューズの容量を記した基板が開示されている。そして、ヒューズブロックが配置されると、いずれか一方の容量表示がヒューズブロックの下に隠れることになり、その結果、一つのヒューズ容量のみが表示されることになる。
【先行技術文献】
【特許文献】
【０００５】
【特許文献１】特開２００８−７１７４２号公報
【発明の概要】
【発明が解決しようとする課題】
【０００６】
たしかに、特許文献１の発明では、不要な容量の表示を消去することなく、一つの容量が表示されることになる。しかしながら、ヒューズを誤って配置した場合であっても、基板上に一つの容量のみが表示されるようになり、誤って配置されていることに気づくことができないという問題がある。
【課題を解決するための手段】
【０００７】
上記課題を解決するための手段として、以下の発明などを提供する。すなわち、第一の発明として、一の割符を記した電子回路基板と、前記一の割符と符合すべき他の割符を記した部品と、からなり、前記一の割符と、前記他の割符とは、電子回路基板に対して部品を正しく配置した場合に符合して意味をなすように記されている電子回路中間構体システムを提供する。
【０００８】
第二の発明として、前記他の割符を記した部品は、一の割符を記した電子回路基板の一部を分離してなる割基板である第一の発明に記載の電子回路中間構体システムを提供する。
【０００９】
第三の発明として、前記電子回路基板は、配置される割基板にマウントされるチップなどの種類に応じて正しい電子回路を構成するための複数の配置領域を有するとともに、配置領域ごとに異なる一の割符が記されており、前記割基板は複数種類のチップなどをマウント可能で、マウントされたチップなどの種類に応じて、電子回路基板中の正しい配置領域にて符合すべき異なる他の割符が記されている第二の発明に記載の電子回路中間構体システムを提供する。
【００１０】
第四の発明として、前記電子回路基板の配置領域は、大きさの異なる割基板挿入穴を有し、前記割基板は、階段状の前記挿入穴に対する差し込み足を有し、差し込み足の差し込み深さに応じて電子回路基板に記された一の割符と、割基板に付された他の割符とが符合して電子回路に応じた正しい意味をなすように構成されている第三の発明に記載の電子回路中間構体システムを提供する。
【発明の効果】
【００１１】
本発明により、配置されるべき部品が正しく配置されることにより、その部品の定格のみが表示される電子回路中間構体システムを提供することが可能となる。
【図面の簡単な説明】
【００１２】
【図１】実施形態１に係る電子回路中間構体システムの概念図
【図２】「割符」と「符合」を説明するための概念図
【図３】「割符」と「符合」を説明するための概念図
【図４】実施形態１に係る電子回路中間構体システムの概念図
【図５】実施形態２に係る電子回路中間構体システムの概念図
【図６】実施形態３に係る電子回路中間構体システムの概念図
【図７】実施形態４に係る電子回路中間構体システムの概念図
【図８】実施形態４に係る電子回路中間構体システムを基板断面方向から示した概念図
【発明を実施するための形態】
【００１３】
以下、本発明の実施の形態について説明する。なお、本発明は、これらの実施形態に何ら限定されるべきものではなく、その要旨を逸脱しない範囲において、種々なる態様で実施し得る。
【００１４】
実施形態１は、主に請求項１について説明する。実施形態２は、主に請求項２について説明する。実施形態３は主に請求項３について説明する。実施形態４は、主に請求項４について説明する。
<実施形態１>
<実施形態１  概要>
【００１５】
本実施形態の電子回路中間構体システムの概要を、図１を用いて説明する。図１は、本実施形態の電子回路中間構体システムの概念図である。電子回路中間構体システムは、電子回路基板（０１０１）と、部品（０１０２）とからなる。電子回路基板には、電子回路（０１０５）がプリントなどにより設けられており、部品を配置するための孔などが設けられている。ここで、部品として容量が２Ａ（アンペア）のヒューズを配置すべきである場合に、当該ヒューズには、容量を示す「Ｔ２Ａ」の文字列の上側部分（０１０４）が、配置時に基板と接する下側の領域に記されている。一方の基板には、当該ヒューズが配置されるべき位置に「Ｔ２Ａ」の文字列の下側部分（０１０３）が記されている。そして、配置すべき部品を配置されるべき位置に配置することにより、前記上側の文字列と下側の文字列とが隣接して「Ｔ２Ａ」の文字列が一体的に表出し、ヒューズの定格表示として認識することができる。
<実施形態１  構成>
【００１６】
本実施形態の電子回路中間構体システムの電子回路基板には一の割符が記されており、部品には前記一の割符と符号すべき他の割符が記されている。ここで、「割符」とは、元来、木片や紙片などに文を記し、これを二つに割り一片を与え他の一片をとどめおき、後に合わせて証とするものである。そこで、本明細書においては「割符」を、一の割符だけでは何らかの意味を表すことができず、また、元の意味を復元することもできないものとする。そして、「符合」すべき他の割符と合致した場合のみ、復元してその意味を表すことができるものとする。このように、一の割符と他の割符とが、情報が復元されるように互いに合致することを、「一の割符と他の割符とが符合する」と表現することにする。
【００１７】
ここで、部品とは、電子回路の中で自身の機能が全体としての機能に対して意味をもつ個々の構成要素としての素子（コンデンサ、トランジスタ、ヒューズなど）を意味し、さらには、多数の素子をまとめて何らかの機能を果たすＩＣ（集積回路）などをも意味するのである。また、素子などを直接回路に配置するものだけでなく、ホルダやパッケージなどの他の部材を介して回路に配置するものも含む。また、回路への配置に関しては、基板に設けられる孔にリードを通して結線するタイプの部品でもよいし、孔を設けない表面実装タイプの部品であってもよい。
【００１８】
図２は、「割符」と「符合」を説明するための概念図である。「Ｔ２Ａ」と記された片（０２０１）を、記されている文字列を分かつように二つに分けて、そのうち「Ｔ２Ａ」の文字列の上側が記されている一片（０２０２）を「一の割符」とした場合には、「Ｔ２Ａ」の文字列の下側が記されている他の一片（０２０３）が「他の割符」となる。いずれの割符も、割符単独では何を意味するものなのか不明である。そして、分かたれたところを互いに合わせることで、「Ｔ２Ａ」の文字列が復元され（０２０４）、その意味するところが明らかになる。これが、一の割符と他の割符が符合するということである。また、分かたれたところと異なるところを合わせても、文字列は復元されず、その意味するところは明らかになることはない。つまり、分けたとおりに合わせない限り符合することはない。
【００１９】
図３は、符合しない場合を表す概念図である。「Ｔ２Ａ」を記した片（０３０１）と、「Ｔ４Ａ」を記した片（０３０２）とがある場合に、「Ｔ２Ａ」を記した片における一方の割符（０３０３）と、「Ｔ４Ａ」を記した片における一方の割符（０３０４）とでは、どのように合わせても符合しない（０３０５）。つまり、符合すべき割符同士を互いに合わせなければ、何らかの意味が表わされることはない。
【００２０】
一の割符と、他の割符とは、電子回路基板に対して部品を正しく配置した場合に符合して意味をなすように記されている。ここで、「正しく配置する」とは、電子回路基板に配置されるべき部品が、電子回路基板上において、当該部品が配置されるべき位置に配置されることをいう。例えば、１００Ｖの電源が入力される電源回路を構成するために、電流容量が２Ａのヒューズを組み込む必要があるとすれば、その電子回路基板に配置すべき部品は、電流容量が２Ａのヒューズということになる。そして、その電子回路基板において、２Ａのヒューズが機能を果たすための適切な位置が、当該部品が配置されるべき位置ということになる。
【００２１】
図４は、本実施形態の電子回路中間構体システムの概念図である。電子回路基板（０４０１）には、２Ａの容量のヒューズを組み込むための電源回路が設けられている。そして、当該ヒューズを配置すべき位置には、一の割符として「Ｔ２Ａ」の文字列の下側部分（０４０３）が記されている。また、この電源回路に組み込まれるべき容量２Ａのヒューズ（０４０２）には、一の割符と符号すべき他の割符である「Ｔ２Ａ」の文字列の上側部分（０４０４）が記されている。そして、ヒューズを回路（０４０５）上の所定の配置位置に配置することにより、図１で示したように「Ｔ２Ａ」の文字列が表される。なお、表された「Ｔ２Ａ」の文字列は、一平面上にあるわけではないが、意味をなして記されている。
【００２２】
このように、電子回路基板に対して部品を正しく配置した場合にのみ、その部品の容量などの定格が示されることになる。したがって、電子回路基板に部品を配置しないときには、定格が示されることはない。また、誤って部品が配置された場合にも、定格が示されることはない。すなわち、適切な定格表示の要請に応えるとともに、部品配置の正誤検証が一目で可能となる。
<実施形態１  効果>
【００２３】
本実施形態の電子回路中間構体システムにより、配置される部品の定格表示の要請に応えるとともに、部品配置の正誤検証が一目で可能となる。
<実施形態２>
<実施形態２  概要>
【００２４】
本実施形態の電子回路中間構体システムは、一の割符を記した電子回路基板の一部を分離して割基板とし、その割基板を他の割符を記した部品とするものである。このように、割基板を部品とすることにより、製造コストの低減や生産効率の向上などの効果を得ることができる。
<実施形態２  構成>
【００２５】
本実施形態に係る電子回路中間構体システムは、実施形態１を基本とし、他の割符を記した部品が、一の割符を記した電子回路基板の一部を分離してなる割基板であることを特徴とする。
【００２６】
図５は、本実施形態の電子回路中間構体システムの一例を示す概念図である。電子回路基板（０５０１）には所定の回路が設けられる。図においては、コンデンサ（０５１１）やコイル（０５１２）とともにヒューズを配置する交流電源の１次側入力（０５０３）の回路を示している。そして、電子回路基板の一部が割基板（０５０２）となっている。
【００２７】
電子回路基板において、ヒューズを配置する回路（０５０７）には、ヒューズを配置するための領域（０５０８）と、はんだ付けのためのランド（０５１０）が設けられとともに、配置されるべきヒューズの定格を表すための一の割符（０５０９）が記されている。なお、ヒューズを配置するために孔を設ける場合には、一の割符は、孔と干渉しないように、割符の状態で印刷等することが望ましい。符合した定格を回路に印刷等した後に、印刷された定格の一部とともに孔を打ち抜くと、一の割符が欠損するおそれがあるからである。
【００２８】
割基板は、ヒューズ（０５０４）が接合されており、電子回路に割基板を配置して結線するための結合部（０５０６）が設けられる。そして、電子回路基板に記される一の割符と符号すべき他の割符（０５０５）が記されている。この割基板を、ヒューズを配置するための領域（０５０８）に配置すると、一の割符と他の割符とが符合して「Ｔ２Ａ」が表れる。
<実施形態２  効果>
【００２９】
本実施形態の電子回路中間構体システムにより、製造コストの低減や生産効率の向上などを図ることができる。
<実施形態３>
<実施形態３  概要>
【００３０】
本実施形態は、配置される割基板にマウントされるチップなどの種類に応じた電子回路を構成するために、電子回路基板に複数の配置領域を設けることで、一の基板で仕向け地や用途に応じた電子回路を構成することを図るものである。特に、それぞれの配置領域に一の割符を記すとともに、配置される割基板には、配置すべき配置領域にて符号すべき他の割符を記しておくことを特徴とするものである。
<実施形態３  構成>
【００３１】
本実施形態の電子回路中間構体システムは、実施形態２を基本とし、電子回路基板は、配置される割基板にマウントされるチップなどの種類に応じて正しい電子回路を構成するための複数の配置領域を有するとともに、配置領域ごとに異なる一の割符が記されており、割基板は、前記割基板は複数種類のチップなどをマウント可能で、マウントされたチップなどの種類に応じて、電子回路基板中の正しい配置領域にて符合すべき異なる他の割符が記されている。なお、チップは前述した素子や集積回路などをいう。
【００３２】
図６は、本実施形態の電子回路中間構体システムの一例を示す概念図である。電子回路基板には、異なる２つの入力電圧に適合するための回路が設けられており、各回路上には適合するヒューズがマウントされる割基板を配置するための配置領域が設けられている。ここでは、国内向けとして入力電圧１００Ｖに適合する容量２Ａのヒューズを配置するための回路と、海外向けとして入力電圧２００Ｖに適合する容量４Ａのヒューズを配置するための回路とが設けられているものとする。本図においては電源回路の一部を記載し、他の回路構成については省略しているが、図５同様に、各入力電圧に応じてコンデンサやコイルなどが適切な回路構成とともに配置されているものとする。
【００３３】
電子回路基板（０６０１）には、国内向けの回路（０６０３）と海外向けの回路（０６０４）とが設けられている。国内向けの回路には、当該回路に配置すべき容量２Ａのヒューズをマウントした割基板を配置する配置領域に嵌合するための孔（０６０５）を設けるとともに、その孔に沿って一の割符（０６０７）が記されている。また、海外向けの回路には、当該回路に配置すべき容量４Ａのヒューズをマウントした割基板を配置する配置領域に嵌合するための孔（０６０６）を設けるとともに、その孔に沿って一の割符（０６０８）が記されている。
【００３４】
割基板（０６０２）は、容量２Ａのヒューズと容量４Ａのヒューズのいずれもマウント可能であり、容量２Ａのヒューズに応じた他の割符（０６０９）と容量４Ａのヒューズに応じた他の割符（０６１０）とが記されている。そして、それぞれの他の割符のそばに、電子回路に割基板を配置して結線するための結合部が設けられる。
【００３５】
国内向けの電源回路を構成する場合には、容量２Ａのヒューズをマウントした割基板を、容量２Ａに応じた他の割符側の接合部を国内向けの回路（０６０３）に設けられている配置領域（０６０５）に配置してはんだ付けなどを行えばよい。その結果、一の割符と他の割符とが符合して「Ｔ２Ａ」が表れる。なお、海外向けの回路に割基板は配置されないので、海外向け回路は構成されず、「Ｔ４Ａ」も表れることはない。このように、仕向け地などに応じた回路に、適用されるべきチップなどをマウントした割基板を正しい配置領域に配置することで、当該回路が構成されるとともに、適用するチップの容量などの定格が表示されることになる。
【００３６】
したがって、電子回路基板の共用化を図るに当たり、定格を示す貼り付けラベルなどを配置されるチップなどの定格ごとに用意したり、あるいは、配置されるチップなどの定格をあらかじめ基板にすべて記しておき実際に配置されたものの定格以外を消去等する必要はなく、共用化を効率的に行うことができる。
<実施形態３  効果>
【００３７】
本実施形態の電子回路中間構体システムにより、適切な定格表示の要請に応えるとともに、電子回路基板の共用化を効率的に行いことができる。
<実施形態４>
<実施形態４  概要>
【００３８】
本実施形態の電子回路中間構体システムは、割基板に階段状の差し込み足を設け、電子回路基板に差し込み足に対応するように大きさの異なる挿入孔を有するとともに、差し込み足が対応する挿入孔に差し込まれたときに一の割符と他の割符とが符合するように記されていることを特徴とする。
<実施形態４  構成>
【００３９】
本実施形態の電子回路中間構体システムは、実施形態３を基本とし、電子回路基板の配置領域は、大きさの異なる割基板挿入孔を有し、割基板は、階段状の前記挿入孔に対する差し込み足を有し、差し込み足の差し込み深さに応じて電子回路基板に記された一の割符と、割基板に付された他の割符とが符合して電子回路に応じた正しい意味をなすように構成されている。
【００４０】
図７は、本実施形態の電子回路中間構体システムの一例を示す概念図である。本図においても実施形態３と同様に国内向け及び海外向けの電源回路を例として説明する。電子回路基板（０７０１）には、国内向けの回路（０７０３）と海外向けの回路（０７０４）とが設けられている。容量２Ａのヒューズをマウントした割基板が配置されるべき国内向けの回路の配置領域には、当該割基板を挿入するための割基板挿入孔（０７０５）が設けられるとともに、一の割符（０７０７）が記されている。海外向けの回路にも同様に割基板挿入孔（０７０６）が設けられるとともに、一の割符（０７０８）が記されている。ここで、国内向け回路に設けられている割基板挿入孔は、海外向けの割基板挿入孔と比べて長手方向においてより長く開口する孔になっている。
【００４１】
割基板（０７０２）は階段状の差し込み足を有しており、割基板挿入孔の大きさにより、差し込み足の差し込み深さが異なる。つまり、小さい割基板挿入孔（０７０６）に対しては、差し込み足の幅の狭いところ（０７０９）までしか差し込むことができず、差し込み深さは浅いものとなる。この状態を電子回路基板の断面方向から示したのが図８（ａ）である。一方、大きい割基板挿入孔（０７０５）に対しては、差し込み足の幅の広いところ（０７１０）まで差し込むことができ、差し込み深さは深いものとなる。この状態を前述のように示したのが図８（ｂ）である。このように、割基板挿入孔と差し込み足とを対応づけておく。
【００４２】
割基板の差し込み足には、他の割符が、差し込みの深いところ（０７１１）と差し込みの浅いところ（０７１２）とのそれぞれに記される。そして、国内向けの回路を構成するときには、容量２Ａのヒューズをマウントした割基板を、電子回路基板の国内向けの回路上の割基板挿入孔（０７０５）に挿入する。この割基板挿入孔は大きなものなので、割基板の差し込み深いところに記された他の割符と、割基板挿入孔のそばに記された一の割符とが符合して「Ｔ２Ａ」が表れる。海外向けの回路を構成する場合には、割基板挿入孔（０７０６）は小さいものなので、自ずと差し込みは浅くなり、差し込みの浅いところに記された他の割符と符合して「Ｔ４Ａ」が表れる。このように、一の割符と他の割符とを、割基板挿入孔及び差し込み深さと対応させることにより、電子回路に応じて適切に割基板を配置した場合には符合して正しい意味を表した定格表示が行われることになるとともに、誤って配置することが無くなる。
【００４３】
また、実施形態３の図６で示した割基板における接合部の幅を、割基板挿入孔の大きさに応じて異なるものとした場合にも、本実施形態と同様の効果を得ることができる。
<実施形態４  効果>
【００４４】
本実施形態の電子回路中間構体システムにより、共用化する電子回路基板において適切な定格表示の要請に応えるとともに、誤って割基板が配置されることを防止することができる。
【符号の説明】
【００４５】
０１０１  電子回路基板
０１０２  部品
０１０３  一の割符
０１０４  他の割符
０１０５  電子回路
【図１】
2011233653.tif 000003
【図２】
2011233653.tif 000004
【図３】
2011233653.tif 000005
【図４】
2011233653.tif 000006
【図５】
2011233653.tif 000007
【図６】
2011233653.tif 000008
【図７】
2011233653.tif 000009
【図８】
2011233653.tif 000010